(57)【要約】【課題】帳票を検査している時に作業者が実施した詳細な操作内容を記録することのできる帳票検査装置を提供する。【解決手段】本発明に係る帳票検査装置２は、封筒５ｂに封入する帳票５ａの帳票検査に必要なユーザインターフェースを提供する操作画面を表示し，帳票５ａまたは帳票５ａを封入した封筒５ｂから得られる情報を用いて帳票検査する帳票検査部２０と，帳票検査部２０の操作画面内の動作風景を動画ファイルとして録画する動画キャプチャ部２１を備えている。【選択図】図２
2016053853.tif 000002
【特許請求の範囲】
【請求項１】
封筒に封入する帳票の帳票検査に必要なユーザインターフェースを提供する操作画面を表示し，帳票または帳票を封入した封筒から得られる情報を用いて帳票検査する帳票検査部と，前記帳票検査部の前記操作画面内の動作風景を動画ファイルとして録画する動画キャプチャ部を備えたことを特徴とする帳票検査装置。
【発明の詳細な説明】
【技術分野】
【０００１】
本発明は，封筒に封入する帳票を検査する技術分野に関する。
【背景技術】
【０００２】
帳票を封筒に封入する作業では，封筒に封入する帳票（帳票や金券など）を検査する帳票検査システムが必要になり，製造現場に設置される帳票検査システムは，複数種の帳票検査に対応していることが一般的である。
【０００３】
例えば，帳票の名寄せ検査に対応した帳票検査システムは，特許文献１の記載のように，帳票の名寄せ検査を行う際，一つの封筒に封入する帳票それぞれから，帳票に印字された光学式マーク（例えば、バーコード）にエンコードされた管理番号を読み取り，管理番号の期待値と比較することで，一つの封筒に封入する帳票の欠落または過剰を検査し，名寄せ検査の検査記録を所定のデータベースに記憶する。
【０００４】
また、帳票の重量検査に対応した帳票検査システムは，特許文献２の記載のように，帳票の重量検査を行う際，複数の帳票を封入した封筒の重量を計測し，重量の期待値と比較することで，一つの封筒に封入する帳票の欠落または過剰を検査し，重量検査の検査記録を所定のデータベースに記憶する。
【先行技術文献】
【特許文献】
【０００５】
【特許文献１】特開２００１−２４３３９９号公報
【特許文献２】特開２００５−１２２５４５号公報
【発明の概要】
【発明が解決しようとする課題】
【０００６】
このように，従来の帳票検査システムでは，名寄せ検査や重量検査など，帳票検査システムが対応している帳票検査の検査記録（どの作業者が、いつ、どの端末で何の品目の検査をし、検査結果はどうだったかなど）を所定のデータベースに残すことができる。しかし、帳票検査システムがデータベースに残す検査記録からは，帳票を検査している時に作業者が実施した詳細な操作内容がわからないという問題がある。
【０００７】
例えば，帳票の検査中に何かしらのエラーが帳票検査システムに発生し，帳票の検査が中断されても、最終的に正しい値（管理コードや重量）を読み取れさえすれば検査結果は「正（ＯＫ）」になるため、帳票検査システムでエラーが発生した時の状況を後で問い合わせを受けても、帳票検査システムがデータベースに残す検査記録からは，帳票検査システムが発生した時にどのような操作が行われたかなどを詳細に調査することができない。
【０００８】
そこで，本発明は、帳票を検査している時に作業者が実施した詳細な操作内容を記録することのできる帳票検査装置を提供することを目的とする。
【課題を解決するための手段】
【０００９】
上述した課題を解決する本発明は、封筒に封入する帳票の帳票検査に必要なユーザインターフェースを提供する操作画面を表示し，帳票または帳票を封入した封筒から得られる情報を用いて帳票検査する帳票検査部と，前記帳票検査部の前記操作画面内の動作風景を動画ファイルとして録画する動画キャプチャ部を備えたことを特徴とする帳票検査装置である。
【発明の効果】
【００１０】
帳票検査の検査記録からは，帳票検査に係るエラーが発生したときの詳細な状況がわからないが，本発明のように，帳票検査装置の操作画面内の動作風景を動画として録画しておけば，この動画から，帳票検査に係るエラーが発生したときの詳細な操作内容を後に把握できるようになる。
【図面の簡単な説明】
【００１１】
【図１】帳票検査装置を配置した帳票検査システムを説明する図。
【図２】実施形態に係る帳票検査システムのブロック図。
【図３】帳票検査装置の帳票検査部の動作を説明する図。
【図４】帳票検査装置の動画キャプチャ部に設定されている録画領域を説明する図。
【図５】本発明の効果を説明する第１図。
【図６】本発明の効果を説明する第２図。
【図７】本発明の効果を説明する第３図。
【発明を実施するための形態】
【００１２】
ここから，本発明の好適な実施形態を記載する。なお，以下の記載は本発明の範囲を束縛するものでなく，理解を助けるために記述するものである。
【００１３】
図１は，本実施形態に係る帳票検査装置２を配置した帳票検査システム１を説明する図である。図１に図示した帳票検査システム１では，本実施形態に係る帳票検査装置２に，帳票検査に用いるコードリーダ４ａおよび重量計４ｂ，並びに，帳票検査の検査記録等を記憶させるデータベース装置３が接続されている。なお，本実施形態において，帳票５ａとは，封筒５ｂに封入する封入物を意味し，具体的には，連続帳票，冊子および金券などである。
【００１４】
実施形態に係る帳票検査システム１に含まれるコードリーダ４ａは，帳票５ａに印字された光学式コードにエンコードされた管理コードを光学的に読み取るための装置である。コードリーダ４ａは，ある特定の光学式コード（例えば，１次元バーコード）のみに対応したものであっても構わないが，帳票検査では，複数の光学式コード（例えば，１次元バーコード，２次元バーコード，ＯＣＲ，ポスタルコード等）に対応したものを用いるのが一般的である。
【００１５】
また，実施形態に係る帳票検査システム１に含まれる重量計４ｂは，帳票５ａを封入した封筒５ｂの重量を計測し，計測した重量をパーソナルコンピュータなどに出力できる装置で，このような装置としては，市販の電子天秤を利用できる。
【００１６】
図２は，実施形態に係る帳票検査システム１のブロック図である。帳票検査システム１に含まれるデータベース装置３は，具体的には，イントラネット１ａを介して帳票検査装置２と接続しているサーバである。データベース装置３には，データベース（Database）として，帳票検査の検査記録を記憶する検査記録ＤＢ３０と，帳票検査装置２の動作風景を録画した動画を記憶する動画ＤＢ３１を備える。
【００１７】
本実施形態に係る帳票検査装置２は，プロセッサやメモリを有するパーソナルコンピュータを利用して実現される装置で，コンピュータプログラムによって実現される機能として，封筒５ｂに封入する帳票５ａの帳票検査に必要なユーザインターフェースを提供する操作画面を表示し，帳票５ａまたは帳票５ａを封入した封筒５ｂから得られる情報を用いて帳票検査する帳票検査部２０と，帳票検査部２０の操作画面内の動作風景を動画ファイルとして録画する動画キャプチャ部２１を備える。
【００１８】
帳票検査装置２の帳票検査部２０は，帳票検査を行うために開発された帳票検査専用のアプリケーションソフトで実現される手段である。
【００１９】
図３は，帳票検査装置２の帳票検査部２０の動作を説明する図である。帳票検査装置２の帳票検査部２０は，帳票検査を実施する作業者の識別情報（社員番号や氏名），帳票検査を実施するロット名，帳票検査の種別などが入力された後，帳票検査を実施する作業者から，帳票検査を開始する指示を受けると（Ｓ１），帳票検査装置２の動画キャプチャ部２１に対して，操作画面内の動作風景の録画を開始する指示を出した後（Ｓ２），帳票５ａを検査する帳票検査処理（Ｓ３）を実行する。そして，帳票検査装置２の帳票検査部２０は，帳票検査を実施する作業者から，帳票検査を終了する指示を受けると（Ｓ４），帳票検査装置２の動画キャプチャ部２１に対して，操作画面内の動作風景の録画を終了する指示を出した後（Ｓ５），帳票検査処理で得られた検査記録をデータベース装置３の検査記録ＤＢ３０に保存し，帳票検査装置２の動画キャプチャ部２１が録画した動画ファイルをデータベース装置３の動画ＤＢ３１に保存して（Ｓ６），この手順は終了する。
【００２０】
帳票検査装置２の帳票検査部２０が，帳票検査処理で行う処理内容は，帳票検査処理（Ｓ３）で実行する帳票検査の種別に依存する。例えば，帳票検査処理（Ｓ３）において名寄せ検査を実施する際，帳票検査装置２の帳票検査部２０は，封筒５ｂに封入する帳票５ａに印字された光学式マークにエンコードされた管理コードをコードリーダ４ａから取得し，帳票検査部２０側で管理している通数連番に対応する管理コードの期待値と比較することで，一つの封筒５ｂに封入する帳票５ａの欠落または過剰を検査し，名寄せ検査の検査記録を帳票検査装置２内に保持する。
【００２１】
また、帳票検査装置２の帳票検査部２０は，重量検査を実施する際，帳票５ａを封入した封筒５ｂの窓から見える光学式マークにエンコードされた管理コードをコードリーダ４ａから取得し，更に，帳票５ａを封入した封筒５ｂの重量を重量計４ｂから取得すると，この管理コードに関連付けられて記憶されている重量の期待値と重量計４ｂから取得した重量と比較することで，封筒５ｂに封入した帳票５ａの欠落または過剰を検査し，重量検査の検査記録を帳票検査装置２内に保持する。
【００２２】
帳票検査装置２の動画キャプチャ部２１は，市販の動画キャプチャアプリケーションソフトを利用して実現される手段である。帳票検査装置２の動画キャプチャ部２１には，帳票検査部２０の操作画面が動画の録画領域として設定されている。帳票検査装置２の動画キャプチャ部２１は，動作風景の録画開始の指示を帳票検査部２０から受けると，動画キャプチャ部２１に設定された録画領域内の動作風景の録画を開始し，動作風景の録画終了の指示を帳票検査部２０から受けるまで録画を行うことで，所定形式の動画ファイルを帳票検査装置２内にキャプチャする。
【００２３】
図４は，帳票検査装置２の動画キャプチャ部２１に設定されている録画領域を説明する図である。図４では，帳票検査装置２のディスプレイに表示されるデスクトップ画面６を図示し，帳票検査部２０として機能するアプリケーションソフトに与えられる領域６１（一般的にはウィンドウと称される）が，動画キャプチャ部２１の録画領域として設定され，この領域に，帳票検査装置２の帳票検査部２０の操作画面６０が含まれる。
【００２４】
なお，図４で図示した帳票検査装置２の帳票検査部２０の操作画面６０は，ユーザインターフェースとして，帳票５ａから読み取った管理コードの表示欄６００ａ，管理コードの期待値の表示欄６００ｂ，判定結果の表示欄６００ｃ，通数連番の表示欄６００ｄ，メッセージの表示欄６００ｅ，検査履歴の表示欄６００ｆ，ロット名の表示欄６００ｇ，帳票検査を開始するためのボタン６００ｈ，そして，帳票検査を終了するためのボタン６００ｉを含んでいる。
【００２５】
図５は，本発明の効果を説明する第１図，図６は，本発明の効果を説明する第２図，そして，図７は，本発明の効果を説明する第３図である。
【００２６】
図５は，通数連番が「１」の帳票５ａに係る帳票検査が終了したときの帳票検査部２０の操作画面６０ａで，図５では，帳票５ａから読み取った管理コードと管理コードの期待値が一致するため，通数連番が「１」の帳票５ａに係る帳票検査は「正（ＯＫ）」と判定され，通数連番が「１」の帳票５ａの検査記録が検査履歴の表示欄６００ｆに追加されている。
【００２７】
図６は，通数連番が「２」の帳票５ａに係る帳票検査にてエラーが発生したときの操作画面６０ｂで，図６では，通数連番が「１」の帳票５ａの管理コードが再度読み取られることで，帳票５ａから読み取った管理コードと管理コードの期待値が一致せずにエラーが発生し，エラーの発生を通知するメッセージがメッセージの表示欄６００ｅに表示されている。
【００２８】
図７は，通数連番が「２」の帳票５ａに係る帳票検査が終了したときの帳票検査部２０の操作画面６０ｃで，図７では，帳票５ａから読み取った管理コードと管理コードの期待値が一致するため，通数連番が「２」の帳票５ａに係る帳票検査は「正（ＯＫ）」と判定され，通数連番が「２」の帳票５ａの検査記録が検査履歴６００ｆの表示欄に追加されている。
【００２９】
このように，帳票検査装置２内に保持される検査記録からは，エラーが発生したときの詳細な状況がわからないが，帳票検査部２０の操作画面内の動作風景を動画として録画しておけば，この動画から，エラーが発生したときの詳細な状況を後に把握できる。
【符号の説明】
【００３０】
１    帳票検査システム
２    帳票検査装置
２０  帳票検査部
２１  動画キャプチャ部
３    データベース装置
３０  検査記録ＤＢ
３１  動画ＤＢ
【図１】
2016053853.tif 000003
【図２】
2016053853.tif 000004
【図３】
2016053853.tif 000005
【図４】
2016053853.tif 000006
【図５】
2016053853.tif 000007
【図６】
2016053853.tif 000008
【図７】
2016053853.tif 000009